(57)【要約】【課題】ポール固定時の芯ずれを抑えることができる照明器具を提供すること。【解決手段】ポール２の先端が挿入される筒状のポール受け部４を有した街路灯１において、ポール受け部４の内側には、前記ポール２が挿入されるポール挿入端４Ａの側から順に径が段階的に小さくなり、前記ポール２の先端が係合する複数の段部２８−１、２８−２、２８−３が設けられ、前記ポール受け部４には、ポール固定ねじ３０により前記ポール２を固定する複数の固定部２４が、前記ポール挿入端４Ａに最も近い段部２８−３の位置に設けられている。【選択図】図６
2019075204.tif 000002
【特許請求の範囲】
【請求項１】
ポールの先端が挿入される筒状のポール受け部を有した照明器具において、
前記ポール受け部の内側には、前記ポールが挿入されるポール挿入端の側から順に径が段階的に小さくなり、前記ポールの先端が係合する複数の段部が設けられ、
前記ポール受け部には、ねじにより前記ポールを固定する複数の固定部が、前記ポール挿入端に最も近い前記段部の位置に設けられている
ことを特徴とする照明器具。
【請求項２】
複数の前記固定部は、前記ポール受け部の中心軸の周りに、等間隔に配置されている、ことを特徴とする請求項１に記載の照明器具。
【請求項３】
複数の前記固定部は、前記ポールの挿入方向に沿って等間隔な３箇所に配置されている、ことを特徴とする請求項２に記載の照明器具。
【請求項４】
前記ポールの挿入方向に沿って等間隔な前記３箇所のうちの両端に位置する１組の前記固定部は、前記ポールの挿入方向に延びる同一直線上に設けられている、ことを特徴とする請求項３に記載の照明器具。
【請求項５】
前記ポール受け部は、
第１の径のポールが挿入される円筒状の外殻と、
前記外殻に取付自在に設けられ、前記第１の径よりも小さな複数の径のポールが挿入され、内面に複数の前記段部が設けられたアダプタと、
を備える、ことを特徴とする請求項１〜４のいずれかに記載の照明器具。
【発明の詳細な説明】
【技術分野】
【０００１】
本発明は、照明器具に関する。
【背景技術】
【０００２】
地面から垂直に立てられたポールの先端に取り付けられる街路灯等の照明器具にあっては、ポールの径は１種類ではなく、数種類の異なった径のポールがそれぞれ広く使用されている。近年、１つで複数種類の径のポールに対応できるような照明器具が求められている。
【０００３】
複数種類の径に１つの取付部材で対応させる従来技術として、径が異なる配管が接続される管状本体の内周に、各々異なった径の配管を受け入れるための突出部を設けた技術が知られている（例えば、特許文献１参照）。
近年では、ポールの先端部が挿入されるポール受部を照明器具に設け、このポール受部の内周に、特許文献１の突出部のような接続構造を設け、共通の照明器具を、径が異なるポールに固定可能にする技術も知られている（例えば、非特許文献１−３、及び特許文献２参照）。この技術によれば、既存のポールの径ごとに、照明器具を用意する必要がなく、また、照明器具の取付現場において、照明器具のポール受部がポールの径に適合せずに施工ができないといった事態を回避できる。
【先行技術文献】
【特許文献】
【０００４】
【特許文献１】特開昭５６−６９８４号公報
【特許文献２】特開２０１７−１６２６８５号公報
【非特許文献】
【０００５】
【非特許文献１】ＬＥＤモールライト  ＫＡＥＬＵＭＩＮＡ“カエルミナ”製品カタログ、[online]、２０１６年６月、パナソニック株式会社、［平成２９年９月１４日検索］、インターネット＜URL:http://panasonic.icata.net/iportal/CatalogDetail.do?method=initial_screen&type=clcsr&volumeID=PEWJ0001&catalogID=4092690000＞
【非特許文献２】モールライトＸＹ７７９２ＬＥ９  商品仕様図、［online］、パナソニック株式会社、［平成２９年９月１４日検索］、インターネット＜URL:http://www2.panasonic.biz/es/catalog/lighting/products/detail/shouhin.php?at=category&ct=shisetsu_catalog&id=S00123121&hinban=XY7792＞
【非特許文献３】モールライト  施工説明書  取扱説明書「保存用」  取説Ｎｏ．ＮＮＹ２２６５０−ＴＡ、ＮＮＹ２２６５０−ＴＢ、[online]、パナソニック株式会社、［平成２９年９月１４日検索］、インターネット＜URL:http://www2.panasonic.biz/es/catalog/lighting/products/detail/shouhin.php?at=category&ct=shisetsu_catalog&id=S00123121&hinban=XY7792＞
【発明の概要】
【発明が解決しようとする課題】
【０００６】
特許文献１に開示された技術を照明器具に適用して、ポール受け部に多段凹部を設けた場合、それぞれの径のポールの先端部のみを照明器具で支持することになる。例えば多段凹部を設けた照明器具に適用できる最も細い径のポールをポール受け部に取り付けた場合、このポールの先端は多段凹部の最奥に突き当てられ、多段凹部のうちの最奥の凹部の側面に設けられた固定ねじでポール先端部の周囲を押し付けることでポールにポール受け部が支持される。一方、最も太い径のポールをポール受け部に取り付けた場合、このポールの先端は多段凹部の最も開口部に近い段差面に突き当てられるので、ポールがこの照明器具に入り込む長さが最も短くなる。そして対応する凹部の側面に設けられた固定ねじでポール先端部の周囲を押し付けることでポールにポール受け部が支持される。
【０００７】
いずれの場合も固定ねじによる支持箇所とポールの先端が近いため、風が吹いてこの照明器具を傾けようとする力（曲げモーメント）が器具にかかった場合、ポールの固定ねじが当たっている箇所に非常に大きな応力が発生し、ポールを変形させることが考えられる。
また円筒形のポールに円筒状取付部を有する街路灯を取り付ける場合、通常はポール先端部の周囲の少なくとも３箇所（好ましくは１２０度ごと）に支持部を設ければ、ポールと照明器具の取付部との中心軸を一致させて支持することができる。しかし古いポールではポールが変形することでポールの端面が平面とならず、局部的な凹みが生じていることもあり得る。またポールの端部が変形し、円形が歪んでいることがあり得る。その場合、３点接触の支持構造を採用した街路灯ではポール取付用の支持部にポールが均等に接触せず、芯ずれが生じたり、取付強度が十分でなかったりすることがあり得る。
【０００８】
本発明は、複数種類の径に１つで対応できると共に、ポール取付時の照明器具の傾きを抑制し、例えポールの先端部が歪んでいてもポールに固定する際の芯ずれを抑えることができる照明器具を提供することを目的とする。
【課題を解決するための手段】
【０００９】
本発明は、ポールの先端が挿入される筒状のポール受け部を有した照明器具において、前記ポール受け部の内側には、前記ポールが挿入されるポール挿入端の側から順に径が段階的に小さくなり、前記ポールの先端が係合する複数の段部が設けられ、前記ポール受け部には、ねじにより前記ポールを固定する複数の固定部が、前記ポール挿入端に最も近い前記段部の位置に設けられていることを特徴とする。
【００１０】
本発明は、上記照明器具において、複数の前記固定部は、前記ポール受け部の中心軸の周りに、等間隔に配置されている、ことを特徴とする。
【００１１】
本発明は、上記照明器具において、複数の前記固定部は、前記ポールの挿入方向に沿って、等間隔な３箇所に配置されている、ことを特徴とする。
【００１２】
本発明は、上記照明器具において、前記ポールの挿入方向に沿って等間隔な前記３箇所のうちの両端に位置する１組の前記固定部は、前記ポールの挿入方向に延びる同一直線上に設けられている、ことを特徴とする。
【００１３】
本発明は、上記照明器具において、前記ポール受け部は、第１の径のポールが挿入される円筒状の外殻と、前記外殻に取付自在に設けられ、前記第１の径よりも小さな複数の径のポールが挿入され、内面に複数の前記段部が設けられたアダプタと、を備える、ことを特徴とする。
【発明の効果】
【００１４】
本発明によれば、ポール固定時の芯ずれを抑えることができる。
【図面の簡単な説明】
【００１５】
【図１】本発明の実施形態に係る街路灯の構成を示す斜視図である。
【図２】街路灯の全体構成を示す三面図であり、（Ａ）は正面図、（Ｂ）は上面図、（Ｃ）は底面図である。
【図３】図２（Ａ）のＩＩＩ−ＩＩＩ線断面図である。
【図４】ポール受け部の全体構成を示す斜視図である。
【図５】ポール受け部の側面図である。
【図６】図５のＶＩ−ＶＩ線断面図である。
【図７】アダプタの構成を示す図であり、（Ａ）は上面図、（Ｂ）は背面図である。
【発明を実施するための形態】
【００１６】
以下、図面を参照して本発明の実施形態について説明する。
図１は、本実施形態に係る街路灯１の全体構成を示す斜視図である。図２は街路灯１の全体構成を示す三面図であり、図２（Ａ）は正面図、図２（Ｂ）は上面図、図２（Ｃ）は底面図である。
街路灯１は、地面などに立設されたポール２の先端に固定されて使用される照明器具であり、ポール２の先端が挿入される円筒状のポール受け部４と、照明光を放射する器具本体部６と、を備え、ポール受け部４と器具本体部６とが、ねじ８で固定されている。
【００１７】
図３は、図２（Ａ）のＩＩＩ−ＩＩＩ線断面図である。
器具本体部６は、ＬＥＤや放電ランプなどの任意の光源１０を収める透光性のケース１２と、ポール受け部４と、を有している。なお、器具本体部６の形状や構造は任意である。
【００１８】
図４はポール受け部４の全体構成を示す斜視図であり、図５はポール受け部４の側面図である。また図６は図５のＶＩ−ＶＩ断面線からポール受け部４をみた図である。
ポール受け部４は、先端の径が異なる複数のポール２に固定可能な構造を有し、図３、及び図６に示すように、外殻２０と、この外殻２０の内部に収められたアダプタ２２と、ポール２にポール受け部４を固定するための複数の固定部２４と、を備え、外殻２０、及びアダプタ２２は、例えばアルミ合金等を材料とした鋳造によって形成されている。
【００１９】
外殻２０は、図６に示すように、内径Ｄ４の円筒状の部材であり、その上部２０Ｕには、器具本体部６を上述のねじ８で固定するための部位が一体形成されている。
アダプタ２２は、外殻２０の内径Ｄ４よりも小さな径のポール２に街路灯１を固定する場合に、外殻２０の内部に設けられる筒状の部材であり、外殻２０に取付自在に設けられている。図６に示すように、アダプタ２２の内面には、ポール挿入端４Ａの側から順に内径が内径Ｄ３、Ｄ２、及びＤ１と段階的に小さくなる複数の段部２８−３、２８−２、２８−１が設けられている。
【００２０】
図７はアダプタ２２の構成を示す図であり、図７（Ａ）は上面図、図７（Ｂ）は背面図である。
図６に示すように、アダプタ２２は、内側の段部２８−３、２８−２、２８−１の径に対応して、ポール挿入端４Ａから上部２２Ｕにかけて段階的に縮径する多段円筒状を成し、その上部２２Ｕには係合凸部４０が形成されている。
図６に示すように、外殻２０の先端２０Ａには、係合凸部４０が係合する係合孔４２が形成されており、これら係合凸部４０、及び係合孔４２の係合によって、アダプタ２２が外殻２０の内側で位置決めされる。また図７（Ａ）に示すように、係合凸部４０には、径方向に突出する突出部４０Ａが形成されており、当該突出部４０Ａが係合孔４２に引っ掛かることで、外殻２０の内側でアダプタ２２が中心軸周りに回転不能に位置決めされる。
さらに、図７（Ｂ）に示すように、アダプタ２２の外周面には、径方向に突出し、かつポール挿入方向Ｅに延びる複数の当接凸部４４が形成されている。外殻２０の内部でアダプタ２２が位置決めされると、図３に示すように、複数の当接凸部４４が外殻２０の内周面２０Ｂに当接し、外殻２０の内部でのアダプタ２２のガタ付きが防止される。
【００２１】
なお、ポール受け部４においては、図６に示すように、外殻２０の先端２０Ａ、及びアダプタ２２の各段部２８−１、２８−２、２８−３の先端２８Ａ１、２８Ａ２、２８Ａ３はそれぞれ、上記内径Ｄ４、Ｄ１、Ｄ２、Ｄ３に相当する径の円環状の平面に形成されている。また、外殻２０の内周面２０Ｂ、及びアダプタ２２の各段部２８−１、２８−２、２８−３の内周面２８Ｂ１、２８Ｂ２、２８Ｂ３のそれぞれは、先端２０Ａ、２８Ａ１、２８Ａ２、２８Ａ３からポール挿入端４Ａの側にかけて僅かに拡がるテーパー状に形成されている。
【００２２】
固定部２４は、ポール受け部４をポール２にねじ止め固定するものであり、図２（Ｃ）に示すように、ポール受け部４の中心軸Ｋの周りに、等間隔（本実施形態では、１２０度間隔）に設けられている。外殻２０の外周面には、それぞれの固定部２４の位置に、ポール固定ねじ３０に螺合するねじ孔３２が形成されており、アダプタ２２のねじ孔３２と対応する位置に、図７（Ａ）に示すように、固定部２４の位置にポール固定ねじ３０を通す貫通孔４６が形成されている。各ねじ孔３２にポール固定ねじ３０が螺合し、それぞれのポール固定ねじ３０の先端部３０Ａがポール２の外周面に当接してポール２の外方向から締め付けることで、ポール受け部４をポール２に固定する。
またアダプタ２２にあっては、当接凸部４４が固定部２４の位置に形成されており、この当接凸部４４に貫通孔４６が形成されることで、アダプタ２２の貫通孔４６が外殻２０のねじ孔３２に略連通状態となり、ポール固定ねじ３０のねじ止めが容易となっている。
【００２３】
本実施形態では、固定部２４のそれぞれは、ポール挿入端４Ａの近く、より詳細には、図６に示すように、ポール挿入端４Ａからポール挿入方向Ｅに沿って所定の高さＬの範囲内に設けられている。この高さＬの上端Ｌａは、アダプタ２２の各段部２８−１、２８−２、２８−３のうち、ポール挿入端４Ａに最も近い段部２８−３の先端２８Ａ３の位置、或いは、その位置よりもポール挿入端４Ａの側に設定されている。
【００２４】
かかる構成の下、先端が径Ｄ４のポール２に街路灯１を固定する場合には、アダプタ２２を使用せずに外殻２０にポール２を挿入し、また、先端が径Ｄ１、Ｄ２、Ｄ３のいずれかのポール２に街路灯１を固定する場合には、外殻２０内側にアダプタ２２を設け、このアダプタ２２にポール２を挿入する。そして、挿入したポール２の先端を、外殻２０またはアダプタ２２に突き当て、ポール２の先端の端面が、外殻２０の先端２０Ａ、またはアダプタ２２の各段部２８−１、２８−２、２８−３の先端２８Ａ１、２８Ａ２、２８Ａ３に当接させる。次いで、複数の固定部２４の各々のねじ孔３２に、ポール固定ねじ３０を螺合し、ポール受け部４をポール２に固定することとなる。
【００２５】
このポール固定構造では、固定部２４が上記高さＬの範囲に設けられることで、径が異なるいずれのポール２であっても、上記高さＬの範囲に設けられた各固定部２４でポール２を固定するので、作業の統一性が図られ、作業性の向上が図られる。
また、ポール２の先端の係合箇所（すなわち、先端２０Ａ、２８Ａ１、２８Ａ２、２８Ａ３）から離れた位置で固定するので、例えば固定部２４を高さＬの上端Ｌａよりも更に高い位置（ポール挿入端４Ａから離れた位置）に設ける構成に比べ、安定した固定が実現できる。
さらに、径が最も太いポール２に街路灯１を固定する場合にはアダプタ２２を使用しないため、ポール２の先端を外殻２０の先端２０Ａまで進入させて固定できる。従来技術に倣って外殻２０の内面に直接段部を設けた場合、最も太いポール２の入込寸法（ポール２の先端が外殻２０に入り込む量）が最も小さくなる。ポール２の入込寸法をポール２の直径で割った値「入込比」が大きいほどポール２を安定して支持することができる。すなわち従来技術では最も太いポール２に街路灯を取り付けると「入込比」が最も小さくなり取付が不安定になってしまう。これに対し本発明の構造をとることにより、外殻２０の内面に直接段部を設けた場合に比べ、「入込比」を大きくでき、太いポール２への街路灯１の取付を安定させることができる。
【００２６】
また、ポール２の先端の歪み等により、ポール受け部４の先端２０Ａ、２８Ａ１、２８Ａ２、２８Ａ３にポール２が当接したときに当該ポール２の軸芯が外殻２０又はアダプタ２２の中心軸Ｃ（図６）からずれる、いわゆる芯ずれが生じる場合でも、本実施形態のポール受け部４の構造をとるならば、ポール２の端面を平面である先端２０Ａ、２８Ａ１、２８Ａ２、２８Ａ３のいずれかで受けることで、街路灯１の向きによってポール２の端面との接触状態が変わることなく、安定に支持することができる。また端面周囲の内壁が円筒状側面となっているため、ポール２の端部が完全な円形でなくともポール２と街路灯１の取付部との中心軸ずれを最小限に抑えることができる。
【００２７】
ここで、本実施形態のポール受け部４においては、図３に示すように、固定部２４は、ポール挿入方向Ｅに沿って、略等間隔な３箇所Ｌ１、Ｌ２、Ｌ３に配置されている。なお、外殻２０の周方向をみると、これら３箇所Ｌ１、Ｌ２、Ｌ３のうち中央の箇所Ｌ２には、周方向に１２０度ずれた２箇所に固定部２４が設けられている。このように、箇所Ｌ１上もしくは箇所Ｌ３上に設けられた固定部２４と、箇所Ｌ２上に設けられた２箇所の固定部２４とが、ポール受け部４の中心軸周りに、略等間隔な３箇所に設けられることで、それぞれの固定部２４のポール固定ねじ３０の挿入量を適宜に調整し、上述の芯ずれを精度よく抑えることができる。しかもポール２の先端から十分距離を取った位置にポール固定ねじ３０を配置しているため、街路灯１の傾きを抑制しやすい。
【００２８】
また３箇所Ｌ１、Ｌ２、Ｌ３に設けられた固定部２４のうち、ポール挿入方向Ｅの両端の箇所Ｌ１、Ｌ３の１組の固定部２４は、図６に示すように、ポール挿入方向Ｅにおいて同一直線上に設けられているので、ねじ止めが容易となる。また、箇所Ｌ１と箇所Ｌ３の中間部に箇所Ｌ２が配置されているため、街路灯１をポール２に取り付ける作業時に街路灯１の傾きを調整することが容易となっている。さらに箇所Ｌ１と箇所Ｌ３の間隔を大きく取っているので、風が吹いてこの街路灯１を傾けようとする力（曲げモーメント）が器具にかかるという前述の技術課題に対し、ポール固定ねじ３０が当たっている箇所に発生する応力を軽減することができる。
【００２９】
以上説明したように、本実施形態によれば、次の効果を奏する。
【００３０】
ポール受け部４には、ポール２を固定する複数の固定部２４を、ポール挿入端４Ａに最も近い段部２８−３の位置、すなわち高さＬの範囲に設けた。
これにより、径が異なるいずれのポール２であっても、同じ固定部２４でポール２を固定することとなり、作業の統一性が図られ、作業性の向上が図られる。またポール２の先端の係合箇所から離れた位置で固定するので、安定した固定が実現できる。
またポール２の先端の係合箇所（すなわち、先端２０Ａ、２８Ａ１、２８Ａ２、２８Ａ３）から離れた位置で固定するので、例えば固定部２４を高さＬの上端Ｌａよりも更に高い位置（ポール挿入端４Ａから離れた位置）に設ける構成に比べ、安定した固定が実現できる。
さらに、径が最も太いポール２に街路灯１を固定する場合にはポール２の先端を外殻２０の先端２０Ａまで進入させて固定できる。従来技術に倣って外殻２０の内面に直接段部を設けた場合、最も太いポール２の入込寸法（ポール２の先端が外殻２０に入り込む量）が最も小さくなる。ポール２の入込寸法をポール２の直径で割った値「入込比」が大きいほどポール２を安定して支持することができる。すなわち従来技術では最も太いポール２に街路灯を取り付けると「入込比」が最も小さくなり取付が不安定になってしまう。これに対し本発明の構造をとることにより、外殻２０の内面に直接段部を設けた場合に比べ、「入込比」を大きくでき、太いポール２への街路灯１の取付を安定させることができる。
また、ポール２の先端の歪み等により、ポール受け部４の先端２０Ａ、２８Ａ１、２８Ａ２、２８Ａ３にポール２が当接したときに当該ポール２の軸芯が外殻２０又はアダプタ２２の中心軸Ｃ（図６）からずれる、いわゆる芯ずれが生じる場合でも、本実施形態のポール受け部４の構造をとるならば、ポール２の端面を平面である先端２０Ａ、２８Ａ１、２８Ａ２、２８Ａ３のいずれかで受けることで、街路灯１の向きによってポール２の端面との接触状態が変わることなく、安定に支持することができる。
また本実施形態では、端面周囲の内壁が円筒状側面となっているため、ポール２の端部が完全な円形でなくともポール２と街路灯１の取付部との中心軸ずれを最小限に抑えることができる。
【００３１】
本実施形態では、ポール受け部４の中心軸Ｋの周りに、固定部２４が等間隔に配置されているので、ポール２を周方向から均等に固定することができる。
【００３２】
本実施形態では、ポール挿入方向Ｅに沿って、等間隔な３箇所Ｌ１、Ｌ２、Ｌ３に固定部２４が配置されているので、これら固定部２４の各々のポール固定ねじ３０の挿入量を適宜に調整することで、芯ずれを、より正確に抑えることができる。しかもポール２の先端から十分距離を取った位置にポール固定ねじ３０を配置しているため、街路灯１の傾きを抑制しやすい。
【００３３】
本実施形態では、これら３箇所Ｌ１、Ｌ２、Ｌ３のうちの両端の箇所Ｌ１、Ｌ３に位置する１組の固定部２４は、ポール挿入方向Ｅに延びる同一直線上に設けられているので、ねじ止めの作業性を向上させることができる。また、箇所Ｌ１と箇所Ｌ３の中間部に箇所Ｌ２が配置されているため、街路灯１をポール２に取り付ける作業時に街路灯１の傾きを調整することが容易となっている。さらに箇所Ｌ１と箇所Ｌ３の間隔を大きく取っているので、風が吹いてこの街路灯１を傾けようとする力（曲げモーメント）が器具にかかるという前述の技術課題に対し、ポール固定ねじ３０が当たっている箇所に発生する応力を軽減することができる。
【００３４】
本実施形態では、ポール受け部４は、先端が径Ｄ４のポール２が挿入される円筒状の外殻２０と、この外殻２０に取付自在に設けられ、先端が径Ｄ４よりも小さな複数の径Ｄ１、Ｄ２、Ｄ３のポール２が挿入され、内面に複数の段部２８−１、２８−２、２８−３が設けられたアダプタ２２と、を備える構成とした。
この構成では、最も太い径Ｄ４のポール２に街路灯１を固定する場合にはアダプタ２２を使用しないため、ポール２の先端を外殻２０の先端２０Ａまで進入させて固定できる。これにより、アダプタ２２の段部２８−１、２８−２、２８−３で太いポール２を受ける場合に比べ、ポール２の入込寸法（ポール２の先端が外殻２０に入り込む量）を大きくでき、径が太いポール２への街路灯１の取付を安定させることができる。
【００３５】
なお、上述した実施形態は、あくまでも本発明の一態様の例示であり、本発明の主旨を逸脱しない範囲において任意に変形、及び応用が可能である。
例えば、本発明は、ポール２の先端に固定される照明器具であれば、街路灯以外の任意の照明器具に適用可能である。
【符号の説明】
【００３６】
１  街路灯（照明器具）
２  ポール
４  ポール受け部
４Ａ  ポール挿入端
６  器具本体部
２０  外殻
２０Ａ  先端
２２  アダプタ
２４  固定部
２８−１、２８−２、２８−３  段部
２８Ａ１、２８Ａ２、２８Ａ３  先端
３０  ポール固定ねじ（ねじ）
３２  ねじ孔
４６  貫通孔
Ｃ  中心軸
Ｅ  ポール挿入方向
Ｋ  ポール受け部の中心軸
Ｌ  高さ
Ｄ４  内径（径、第１の径）
【図１】
2019075204.tif 000003
【図２】
2019075204.tif 000004
【図３】
2019075204.tif 000005
【図４】
2019075204.tif 000006
【図５】
2019075204.tif 000007
【図６】
2019075204.tif 000008
【図７】
2019075204.tif 000009